(57)【特許請求の範囲】
【請求項１】
熱を発生させる熱源装置と、前記熱源装置で発生した熱を蓄える蓄熱装置と、
前記熱源装置から供給された熱又は前記蓄熱装置から供給された熱を受け取る加熱装置と、前記加熱装置で加熱された熱媒により対象空間の暖房を行う暖房装置と、
前記対象空間に備えられた別の空調装置の運転情報を取得する運転情報取得部とを備えて、
前記蓄熱装置が熱充分条件を満たし、且つ、前記運転情報により前記空調装置が暖房運転の状態又は暖房運転開始前の状態であるという運転条件を満たすと、前記加熱装置で加熱された熱媒により前記暖房装置を運転する制御装置を備えている暖房システム。
【請求項２】
前記制御装置は、
前記運転情報により前記空調装置が暖房運転開始前であると認識すると、前記空調装置の暖房運転開始よりも先に前記暖房装置の運転を開始する請求項１に記載の暖房システム。
【請求項３】
前記制御装置は、
前記運転情報により前記空調装置の暖房運転の目標温度を認識すると、前記暖房装置の目標温度を前記空調装置の暖房運転の目標温度よりも高い値に設定して、前記暖房装置を運転する請求項１又は２に記載の暖房システム。
【請求項４】
前記蓄熱装置の蓄熱量を検出する蓄熱量検出部を備えて、
前記制御装置は、
前記蓄熱量検出部により検出された前記蓄熱装置の蓄熱量が設定蓄熱量以上であると、前記熱充分条件を満たしていると判断する請求項１〜３のうちのいずれか一項に記載の暖房システム。
【請求項５】
前記蓄熱装置の蓄熱量を検出する蓄熱量検出部を備えて、
前記熱源装置を、熱と電気とを併せて発生する熱電併給装置に構成し、
前記制御装置は、
前記蓄熱量検出部により検出された前記蓄熱装置の蓄熱量が設定蓄熱量以上であり、且つ、前記熱源装置の電力の出力が設定値以上であると、前記熱充分条件を満たしていると判断する請求項１〜３のうちのいずれか一項に記載の暖房システム。
【請求項６】
前記蓄熱装置の蓄熱量を検出する蓄熱量検出部を備えて、
前記熱源装置を、太陽熱を集熱する太陽熱集熱装置に構成し、
前記制御装置は、
前記蓄熱量検出部により検出された前記蓄熱装置の蓄熱量が設定蓄熱量以上であり、且つ、前記熱源装置の単位時間当たりの集熱量が設定値以上であると、前記熱充分条件を満たしていると判断する請求項１〜３のうちのいずれか一項に記載の暖房システム。
【発明の詳細な説明】
【技術分野】
【０００１】
本発明は、対象空間の暖房を行う暖房システムに関する。
【背景技術】
【０００２】
部屋（対象空間に相当）の暖房では、エアコン等の空調装置に加えて、床暖房装置やパネルラジエータ装置、デシカント温風装置等の暖房装置を備えることにより、部屋の暖房を効率的に行うように構成した暖房システムがある（特許文献１参照）。
特許文献１の暖房システムでは、エアコン及び床暖房装置を備えており、床暖房装置の運転を開始すると、これに連動してエアコンも自動的に運転を開始するように構成されており、エアコンと床暖房装置とが同時に並行して運転を行うように構成されている。
【先行技術文献】
【特許文献】
【０００３】
【特許文献１】特開２００８−８２５８６号公報（特願２００６−２６１４６９）
【発明の概要】
【発明が解決しようとする課題】
【０００４】
一般にエアコン等の空調装置は、省エネという面で有利であるが、部屋全体を暖めようとするので、例えば居住者の足元等のように局所的に暖めるという面では不利なものとなっている。これに対して、床暖房装置等の暖房装置は局所的に暖めるという面では有利であるが、省エネという面では不利なものとなっている。
これにより、特許文献１の暖房システムのように、空調装置と暖房装置とを常に同時に並行して運転するように構成していると、省エネという面で改善の余地がある。
本発明は、空調装置及び暖房装置の有利な点及び不利な点を有効に組み合わせることにより、省エネ性の高い暖房システムを得ることを目的としている。
【課題を解決するための手段】
【０００５】
本発明の特徴は、暖房システムにおいて次のように構成することにある。
熱を発生させる熱源装置と、前記熱源装置で発生した熱を蓄える蓄熱装置と、
前記熱源装置から供給された熱又は前記蓄熱装置から供給された熱を受け取る加熱装置と、前記加熱装置で加熱された熱媒により対象空間の暖房を行う暖房装置と、
前記対象空間に備えられた別の空調装置の運転情報を取得する運転情報取得部とを備えて、
前記蓄熱装置が熱充分条件を満たし、且つ、前記運転情報により前記空調装置が暖房運転の状態又は暖房運転開始前の状態であるという運転条件を満たすと、前記加熱装置で加熱された熱媒により前記暖房装置を運転する制御装置を備えている。
【０００６】
本発明の特徴によれば、空調装置が備えられた対象空間に暖房システムの暖房装置を設置した場合、空調装置が暖房運転の状態（暖房運転開始前の状態）であるという運転条件を満たしていると、暖房装置が常に運転されるのではなく、空調装置の運転条件に加えて蓄熱装置が熱充分条件を満たしていると、暖房装置が運転される。逆に空調装置の運転条件及び蓄熱装置の熱充分条件の少なくとも一方が満たされていないと、暖房装置は運転されない。
【０００７】
前述のように、蓄熱装置が熱充分条件を満たしているということは、蓄熱装置に充分な熱が蓄えられているということである。
これによって、蓄熱装置の熱を暖房装置と別の使用目的（例えば給湯等）とに使用したり、暖房装置のみに使用したりというように、蓄熱装置の熱の使い分けを行うことが可能となる。蓄熱装置の熱を全て別の使用目的に使用する場合、熱源装置の熱を暖房装置に使用しても、蓄熱装置の熱は別の使用目的として不足がない。
以上のように、空調装置が備えられた対象空間に暖房システムの暖房装置を設置した場合に、蓄熱装置の熱を暖房装置及び別の使用目的に使用しながら、空調装置に加えて暖房装置を適切に運転させることができる省エネ性の高い暖房システムを得ることができる。
【０００８】
本発明の特徴は、暖房システムにおいて次のように構成することにある。
前記制御装置は、
前記運転情報により前記空調装置が暖房運転開始前であると認識すると、前記空調装置の暖房運転開始よりも先に前記暖房装置の運転を開始する。
【０００９】
本発明の特徴によると、空調装置の運転条件及び蓄熱装置の熱充分条件の両方が満たされている状態において、空調装置が運転開始前であれば、暖房装置が先に運転を開始するのであり、居住者にとって必要な局所（例えば居住者の足元等）が先に暖められてから、空調装置が運転を開始するという状態となるので、居住者に快適な状態を与えることができる。
暖房装置の運転を先に開始することにより、暖房装置により対象空間が暖められた状態で、空調装置が暖房運転を開始することになるので、空調装置に掛かる負荷を軽減することができて、省エネ性を高めることができる。
【００１０】
本発明の特徴は、暖房システムにおいて次のように構成することにある。
前記制御装置は、
前記運転情報により前記空調装置の暖房運転の目標温度を認識すると、前記暖房装置の目標温度を前記空調装置の暖房運転の目標温度よりも高い値に設定して、前記暖房装置を運転する。
【００１１】
本発明の特徴によると、空調装置の運転条件及び蓄熱装置の熱充分条件の両方が満たされている状態において、暖房装置の目標温度が空調装置の暖房運転の目標温度よりも高い値に設定されるのであり、居住者にとって必要な局所（例えば居住者の足元等）が充分に暖められながら、空調装置が運転されるという状態となるので、居住者に快適な状態を与えることができる。
暖房装置の目標温度を空調装置の暖房運転の目標温度よりも高い値に設定することにより、空調装置の暖房運転が暖房装置により補助される状態となるので、空調装置に掛かる負荷を軽減することができて、省エネ性を高めることができる。
【００１２】
本発明の特徴は、暖房システムにおいて次のように構成することにある。
前記蓄熱装置の蓄熱量を検出する蓄熱量検出部を備えて、
前記制御装置は、
前記蓄熱量検出部により検出された前記蓄熱装置の蓄熱量が設定蓄熱量以上であると、前記熱充分条件を満たしていると判断する。
【００１３】
本発明の特徴によると、蓄熱装置の蓄熱量を検出する蓄熱量検出部を備えることによって、蓄熱装置の蓄熱量を定量的に検出することができて、蓄熱装置の熱充分条件が満たされているか否かを定量的に正確に判断することができる。
【００１４】
本発明の特徴は、暖房システムにおいて次のように構成することにある。
前記蓄熱装置の蓄熱量を検出する蓄熱量検出部を備えて、
前記熱源装置を、熱と電気とを併せて発生する熱電併給装置に構成し、
前記制御装置は、
前記蓄熱量検出部により検出された前記蓄熱装置の蓄熱量が設定蓄熱量以上であり、且つ、前記熱源装置の電力の出力が設定値以上であると、前記熱充分条件を満たしていると判断する。
【００１５】
本発明の特徴によると、蓄熱装置の蓄熱量を検出する蓄熱量検出部を備えることによって、蓄熱装置の蓄熱量を定量的に判断することができる。
熱源装置を、熱と電気とを併せて発生する熱電併給装置に構成した場合、熱源装置の電力の出力が設定値以上であるということは、熱源装置において熱が充分に発生している状態であるということである。
これにより、蓄熱装置の熱が消費されて少なくなった場合、熱源装置から蓄熱装置に熱を充分に無理なく補給することができるのであり、蓄熱装置の熱を全て別の使用目的に使用する場合でも、熱源装置の熱により暖房装置を無理なく運転することができる。
【００１６】
本発明の特徴は、暖房システムにおいて次のように構成することにある。
前記蓄熱装置の蓄熱量を検出する蓄熱量検出部を備えて、
前記熱源装置を、太陽熱を集熱する太陽熱集熱装置に構成し、
前記制御装置は、
前記蓄熱量検出部により検出された前記蓄熱装置の蓄熱量が設定蓄熱量以上であり、且つ、前記熱源装置の単位時間当たりの集熱量が設定値以上であると、前記熱充分条件を満たしていると判断する。
【００１７】
本発明の特徴によると、蓄熱装置の蓄熱量を検出する蓄熱量検出部を備えることによって、蓄熱装置の蓄熱量を定量的に判断することができる。
熱源装置を、太陽熱を集熱する太陽熱集熱装置に構成した場合、熱源装置の単位時間当たりの集熱量が設定値以上であるということは、熱源装置において熱が充分に発生している状態であるということである。
これにより、蓄熱装置の熱が消費されて少なくなった場合、熱源装置から蓄熱装置に熱を充分に無理なく補給することができるのであり、蓄熱装置の熱を全て別の使用目的に使用する場合でも、熱源装置の熱により暖房装置を無理なく運転することができる。
【図面の簡単な説明】
【００１８】
【図１】暖房システムの全体構成（空調装置が停止している状態で貯湯タンクに温水を供給している状態）を示す図である。
【図２】暖房システムの全体構成（空調装置の暖房運転を行っている状態で床暖房装置を運転している状態）を示す図である。
【図３】制御装置と各部との連係状態を示す図である。
【図４】暖房システムの制御の流れを示す図である。
【図５】暖房システムの制御の流れを示す図である。
【図６】発明の実施の第１別形態において、暖房システムの全体構成（空調装置の暖房運転を行っている状態で床暖房装置を運転している状態）を示す図である。
【図７】発明の実施の第２別形態において、暖房システムの全体構成（空調装置が停止している状態で貯湯タンクに温水を生成している状態）を示す図である。
【図８】発明の実施の第２別形態において、暖房システムの全体構成（空調装置が停止している状態で床暖房装置を運転している状態）を示す図である。
【図９】発明の実施の第３別形態において、暖房システムの全体構成（空調装置の暖房運転を行っている状態で床暖房装置を運転している状態）を示す図である。
【発明を実施するための形態】
【００１９】
［１］
暖房システムの全体構成について説明する。
図１に示すように、暖房システムにおいて、熱源装置１（熱電併給装置に相当）、貯湯タンク２（蓄熱装置に相当）、熱交換器３（加熱装置に相当）、床暖房装置４（暖房装置に相当）、ガス加熱器５、運転情報取得部６（図４参照）及び制御装置７（図４参照）等が備えられている。
【００２０】
図１に示すように、住宅の部屋等の対象空間８の床部分に、床暖房装置４が備えられている。対象空間８の壁部分に、暖房システムとは別のエアコン等の空調装置９が備えられており、空調装置９は暖房運転及び冷房運転が可能である。
【００２１】
図１に示すように、熱源装置１に、燃料電池１０、熱交換器１１及びポンプ１２が備えられて、燃料電池１０、熱交換器１１及びポンプ１２が流路１３により接続されている。燃料電池１０は、対象空間８に設置された電力消費装置（照明装置等）や空調装置９に電力を供給するものであり、燃料電池１０が作動する際に発生する熱が熱交換器１１に回収される。
【００２２】
図１に示すように、流路１４にガス加熱器５が備えられている。ガス加熱器５は、ガスを燃焼するガスバーナー５ａ及びガスの流量制御弁５ｂを備えており、流路１４の温水をガスバーナー５ａで加熱する。
【００２３】
図１に示すように、熱交換器３と熱交換器１１とが流路１４により接続されており、流路１４にポンプ１５が備えられている。流路１４に切換弁１６，１７が備えられており、貯湯タンク２の上部と切換弁１６とが流路１８により接続され、貯湯タンク２の下部と切換弁１７とが流路１９により接続されている。
【００２４】
図１に示すように、貯湯タンク２の上部と流路１４（ガス加熱器５側）とが流路２０により接続されており、流路２０にポンプ２１及び開閉弁２２が備えられている。貯湯タンク２の下部と流路１４（ガス加熱器５の反対側）とが流路２３により接続されており、流路２３に開閉弁２４が備えられている。
【００２５】
図１に示すように、熱交換器３と床暖房装置４とが流路２５により接続されており、流路２５にポンプ２６が備えられている。流路１４（ガス加熱器５側）に、給湯路２７が開閉弁２８により接続されている。流路１４（ガス加熱器５の反対側）に、上水の供給路２９が開閉弁３０により接続されている。
【００２６】
［２］
暖房システムの制御系の構成について説明する。
図１及び図３に示すように、対象空間８の壁部分に、居住者が操作する操作パネル３１が取り付けられており、操作パネル３１に、排熱床暖房スイッチ３２、床暖房装置４の目標温度を設定する目標温度設定スイッチ３３、床暖房装置４の目標温度を表示する表示部３４が備えられており、操作パネル３１の信号が制御装置７に入力されている。
【００２７】
図３に示すように、排熱床暖房スイッチ３２は、本実施形態で説明する排熱を利用した排熱床暖房の運転及び停止を手動で行う為のものである。目標温度設定スイッチ３３は、床暖房装置４の目標温度の設定及び変更を手動で行う為のものであり、設定及び変更された床暖房装置４の目標温度が表示部３４に表示される。
対象空間８の温度を検出する温度センサー４５が操作パネル３１に備えられており、温度センサー４５の検出値が制御装置７に入力されている。
【００２８】
図１〜図３に示すように、貯湯タンク２は、熱を温水として貯留するものである。貯湯タンク２の温水の温度を検出する複数の温度センサー３５（蓄熱量検出部に相当）が、貯湯タンク２の上下方向に沿って備えられており、温度センサー３５の検出値が制御装置７に入力されている。
【００２９】
図１〜図３に示すように、燃料電池１０の発電量（電力の出力）を検出する発電量検出センサー３６が、燃料電池１０に備えられており、発電量検出センサー３６の検出値が制御装置７に入力されている。
制御装置７により、燃料電池１０、ガス加熱器５、ポンプ１２，１５，２１，２６、切換弁１６，１７、開閉弁２２，２４，２８，３０が、以下の［３］〜［６］に記載のように操作される。
【００３０】
図３に示すように、居住者が操作する遠隔操作型式の操作部３７が備えられており、操作部３７により、空調装置９の暖房運転及び冷房運転の運転及び停止、暖房運転及び冷房運転の目標温度の設定及び変更を行うことができる。
居住者が操作部３７を操作することにより、操作部３７から空調装置９に各種の操作信号が発信されると、操作部３７の各種の操作信号を空調装置９の運転情報として、運転情報取得部６が受信して、空調装置９の運転情報が運転情報取得部６から制御装置７に入力される。
【００３１】
［３］
空調装置９が停止している状態での暖房システムの運転状態について説明する。
図１の太線及び矢印に示すように、対象空間８に設置された電力消費装置（照明装置等）に電力を供給する為に、燃料電池１０は常に作動している。これにより、ポンプ１２，１５及び切換弁１６，１７が操作されて、燃料電池１０で発生した熱が、流路１３及び熱交換器１１を循環する熱媒により回収される。
【００３２】
図１の太線及び矢印に示すように、供給路２９及び開閉弁３０を介して、水が流路１４に適宜供給されて、貯湯タンク２、流路１４，１８，１９及び切換弁１６，１７を循環するのであり、熱交換器１１により温水が生成されて、温水が貯湯タンク２に貯留される。入浴等で温水が使用される場合、温水が開閉弁２８及び給湯路２７を介して供給されるのであり、貯湯タンク２の温水が少なくなると前述のように水が供給されて、貯湯タンク２は満杯状態に維持される。
【００３３】
［４］
空調装置９の暖房運転を行う状態での暖房システムの運転状態について、図４及び図５に基づいて説明する（その１）。
居住者が排熱床暖房スイッチ３２をＯＮ操作した場合（ステップＳ１，Ｓ２）、床暖房装置４は直ちに運転状態とはならず、待機状態となってステップＳ３に移行する。
【００３４】
図３に示すように、居住者が操作部３７を操作することにより、操作部３７から空調装置９に各種の操作信号が発信されると、操作部３７の各種の操作信号を空調装置９の運転情報として、運転情報取得部６が受信して、空調装置９の運転情報が運転情報取得部６から制御装置７に入力される。
【００３５】
温度センサー３５の検出値に基づいて、貯湯タンク２の蓄熱量が検出される（ステップＳ３）。具体的には、貯湯タンク２の満杯状態において、一つの温度センサー３５に対応する貯湯タンク２の領域の容積（温水の量）に、対応する温度センサー３５の検出値を乗じた区分蓄熱量を求め、区分蓄熱量を温度センサー３５ごとに求めて積算して、貯湯タンク２の蓄熱量が検出される。
同時に、発電量検出センサー３６により、燃料電池１０の発電量（電力の出力）が検出される（ステップＳ５）。
【００３６】
これにより、貯湯タンク２の蓄熱量が設定蓄熱量以上であり（ステップＳ４）、且つ、燃料電池１０の発電量が設定値以上であると（ステップＳ６）、ステップＳ７に移行する（蓄熱装置（貯湯タンク２）が熱充分条件を満たした状態に相当）。貯湯タンク２の蓄熱量が設定蓄熱量未満である場合（ステップＳ４）、燃料電池１０の発電量が設定値未満である場合（ステップＳ６）、床暖房装置４は停止状態を維持する。
【００３７】
前項［４］に記載の状態に対して、貯湯タンク２の蓄熱量が設定蓄熱量以上であり（ステップＳ４）、且つ、燃料電池１０の発電量が設定値以上である場合（ステップＳ６）、空調装置９が暖房運転を既に開始していると（ステップＳ７）（空調装置９が暖房運転の状態であるという運転条件を満たす状態に相当）、空調装置９の運転情報により空調装置９の暖房運転の目標温度が認識され（ステップＳ８）、空調装置９の暖房運転の目標温度に第１補正値Ａ１（例えば３℃）が加えられた値が、床暖房装置４の目標温度として改めて設定される（ステップＳ９）。その後、後述するステップＳ１９に移行する。
【００３８】
［５］
空調装置９の暖房運転を行う状態での暖房システムの運転状態について、図４及び図５に基づいて説明する（その２）。
空調装置９が暖房運転を開始していない場合（ステップＳ７）、空調装置９が冷房運転であると（ステップＳ１１）、床暖房装置４は停止状態に維持される。
【００３９】
居住者が操作部３７を操作することにより、操作部３７から空調装置９に各種の操作信号が発信されて、空調装置９が運転を開始する場合、操作部３７によって、空調装置９が直ちに暖房運転を開始する運転状態、並びに、空調装置９の暖房運転の開始時刻を指定して、開始時刻になると空調装置９が暖房運転を自動的に開始するように設定する運転開始予約状態を設定することができる。
【００４０】
これにより、空調装置９が暖房運転を開始していない場合（ステップＳ７）、空調装置９の運転開始予約状態であると（空調装置９が暖房運転開始前の状態であるという運転条件を満たした状態に相当）、空調装置９の運転情報により空調装置９の暖房運転の開始時刻が認識されるのであり（ステップＳ１２）、空調装置９の暖房運転の開始時刻の設定時間前（例えば６０分前）になると（ステップＳ１３）、空調装置９の運転情報により空調装置９の暖房運転の目標温度が認識され（ステップＳ１４）、空調装置９の前回の運転状態が認識される（ステップＳ１５）。
【００４１】
次に、ステップＳ１６において、空調装置９の前回の運転状態が暖房運転であったか或いは冷房運転であったかが判定される。
例えば秋から冬に向けて気温が次第に下がる時期では、居住者は未だ暖房が習慣付いておらず、少し涼しい状態でも快適と感じる傾向にあるため、居住者は弱い暖房でも不満に感じない傾向にある。逆に、例えば春から夏に向けて気温が次第に上がる時期では、居住者は冬から春にかけて暖房が習慣付いており、暖房による暖かさに慣れているため、居住者は弱い暖房では不満に感じる傾向にある。さらに夏から秋、秋から冬の季節の変わり目において、寒くなったり、暑くなったりという気温の変化が繰り返されるような場合、居住者は空調装置９の暖房運転を行ったり、空調装置９の冷房運転を行ったりすることがある。
【００４２】
そこで、本実施形態では、空調装置９の前回の運転状態が暖房運転であると（ステップＳ１６）、空調装置９の暖房運転の目標温度に第１補正値Ａ１（例えば３℃）が加えられた値が、床暖房装置４の目標温度として改めて設定される（ステップＳ１７）。
これに対して、空調装置９の前回の運転状態が冷房運転であると（ステップＳ１６）、空調装置９の暖房運転の目標温度に第２補正値Ａ２（例えば１℃）が加えられた値が、床暖房装置４の目標温度として改めて設定される（ステップＳ１８）。
【００４３】
以上のように、空調装置９の暖房運転の目標温度に第１補正値Ａ１（第２補正値Ａ２）を加えて、床暖房装置４の目標温度とすることにより、空調装置９の運転情報により、空調装置９の暖房運転の目標温度を認識した状態において、床暖房装置４の目標温度を空調装置９の暖房運転の目標温度よりも高い値に設定する状態となる。
これにより、空調装置９の前回の運転状態が暖房運転であった場合のように、居住者が暖かい状態に慣れているときには（即ち、居住者は弱い暖房では不満に感じる傾向にあるとき）、床暖房装置４の目標温度が少し高めに設定して、居住者にその時期での快適な状態を与えることができる。これに対して、空調装置９の前回の運転が冷房運転であった場合のように、居住者が涼しい状態に慣れているときには（即ち、居住者は弱い暖房でも不満に感じない傾向にあるとき）、床暖房装置４の目標温度が少し低めに設定して、居住者にその時期での快適な状態を与えることができる。
【００４４】
この場合、第１補正値Ａ１が第２補正値Ａ２よりも大きな値に設定されているので、空調装置９の運転情報により、空調装置９の前回の運転が暖房運転であると認識した場合の床暖房装置４の目標温度が、空調装置９の運転情報により空調装置９の前回の運転が冷房運転であると認識した場合の床暖房装置４の目標温度よりも、高い値に設定された状態となる。
【００４５】
前述のように、床暖房装置４の目標温度が設定された場合、床暖房装置４の目標温度が温度センサー４５の検出値（対象空間８の温度）よりも高い状態である、即ち、対象空間８の温度が低い状態であると（ステップＳ１９で「Ｙｅｓ」）、床暖房装置４の運転が必要と判断して、床暖房装置４の目標温度が改めて表示部３４に表示されて、床暖房装置４が運転を開始する（ステップＳ２０）。この場合、図２の太線及び矢印に示すように、ガス加熱器５を停止した状態において、ポンプ１２，１５，２６及び切換弁１６，１７が操作されて、燃料電池１０で発生した熱が流路１３及び熱交換器１１を循環する熱媒により回収され、熱交換器１１により生成された温水が流路１４、切換弁１６，１７及び熱交換器３を循環するのであり、流路２５の熱媒が熱交換器３により加熱されて床暖房装置４に供給される。この状態が、排熱床暖房状態である。
尚、ステップＳ１９において、床暖房装置４の目標温度が温度センサー４５の検出値（対象空間８の温度）以下である、即ち、対象空間８の温度が充分に高い状態であると（ステップＳ１９で「Ｎｏ」）、床暖房装置４の運転が不要と判断して、床暖房装置４は停止状態に維持される。
【００４６】
［６］
空調装置９の暖房運転が行われている状態での暖房システムの運転状態について説明する（その３）。
空調装置９は暖房運転の開始時刻になると運転を開始する。このとき、温度センサー４５の検出値（対象空間８の温度）が空調装置９の暖房運転の目標温度より高いと、空調装置９の暖房出力は小さくなり、温度センサー４５の検出値（対象空間８の温度）が空調装置９の暖房運転の目標温度より低いと、空調装置９の暖房出力は大きくなる。
【００４７】
［発明の実施の第１別形態］
前述の［発明を実施するための形態］において、前項［４］及び図２に記載のような空調装置９の暖房運転を行う状態での床暖房装置４の運転に代えて、空調装置９の暖房運転を行う状態での床暖房装置４の運転を、以下のように行ってもよい。
【００４８】
図６の太線及び矢印に示すように、燃料電池１０で発生した熱が、流路１３及び熱交換器１１を循環する熱媒により回収されて、熱交換器１１により生成された温水が貯湯タンク２に貯留されている状態において、ポンプ２１，２６及び開閉弁２２，２４が操作される。これにより、貯湯タンク２の温水が、流路２０，２３及び開閉弁２２，２４、熱交換器３を循環するのであり、流路２５の熱媒が熱交換器３により加熱されて床暖房装置４に供給される。
【００４９】
この場合、熱充分条件を設定するのは、貯湯タンク２において給湯用の温水を確保しておく為であり、貯湯タンク２の温水が消費された際に、燃料電池１０（熱交換器１１）による貯湯タンク２への温水の補給が無理なく行われるようにする為である。
【００５０】
［発明の実施の第２別形態］
前述の［発明を実施するための形態］において、燃料電池１０に代えて太陽熱により温水を生成する太陽熱集熱装置３８を、熱源装置１として使用した場合について説明する。
図７に示すように、貯湯タンク２の内部に熱交換器３９が備えられて、太陽熱集熱装置３８と熱交換器３９とが流路４０により接続されており、流路４０にポンプ４１及び温度センサー４２が備えられている。流路１８に、ポンプ４３が備えられている。
【００５１】
図７に示すように、温度センサー４２の検出値が設定温度以上である場合（太陽熱集熱装置３８の単位時間当たりの集熱量が設定値以上である状態に相当）、ポンプ４１が作動して、太陽熱集熱装置３８により生成された温水が熱交換器３９に供給されて、貯湯タンク２の温水が加熱される。
【００５２】
入浴等で温水が使用される場合、温水が開閉弁２８及び給湯路２７を介して供給されるのであり、貯湯タンク２の温水が少なくなると、水が流路１４，１９から貯湯タンク２に供給されて、貯湯タンク２は満杯状態に維持される。
【００５３】
前項［４］［５］［６］に記載の状態において、貯湯タンク２の蓄熱量が設定蓄熱量以上であり、且つ、温度センサー４２の検出値が設定温度以上である場合（太陽熱集熱装置３８の単位時間当たりの集熱量が設定値以上である状態に相当）、蓄熱装置（貯湯タンク２）が熱充分条件を満たした状態となる。
【００５４】
次に蓄熱装置（貯湯タンク２）が熱充分条件を満たした状態において、床暖房装置４を運転する場合、図８に示すように、ポンプ４３が操作されて、貯湯タンク２の温水が流路１４，１８，１９、及び熱交換器３を循環するのであり、流路２５の熱媒が熱交換器３により加熱されて床暖房装置４に供給される。
太陽熱集熱装置３８により生成された温水が熱交換器３９に供給されて、貯湯タンク２の温水が加熱されている状態において、ポンプ２１，２６及び開閉弁２２，２４が操作される。
これにより、貯湯タンク２の温水が、流路２０，２３及び開閉弁２２，２４、熱交換器３を循環するのであり、流路２５の熱媒が熱交換器３により加熱されて床暖房装置４に供給される。
【００５５】
［発明の実施の第３別形態］
前述の［発明の実施の第２別形態］において、図８に代えて図９に示すように構成してもよい。
図９に示すように、蓄熱装置（貯湯タンク２）が熱充分条件を満たした状態において、床暖房装置４を運転する場合、図９に示すように、太陽熱集熱装置３８により生成された温水が熱交換器３９に供給されて、貯湯タンク２の温水が加熱されている状態において、ポンプ２１，２６及び開閉弁２２，２４が操作される。
これにより、貯湯タンク２の温水が、流路２０，２３及び開閉弁２２，２４、熱交換器３を循環するのであり、流路２５の熱媒が熱交換器３により加熱されて床暖房装置４に供給される。
【００５６】
［発明の実施の第４別形態］
前述の［発明を実施するための形態］［発明の実施の第１別形態］〜［発明の実施の第３別形態］において、貯湯タンク２の蓄熱量が設定蓄熱量以上であり、且つ、燃料電池１０の発電量が設定値以上であると（温度センサー４２の検出値が設定温度以上であると）、蓄熱装置（貯湯タンク２）が熱充分条件を満たした状態である判断するのではなく、貯湯タンク２の蓄熱量が設定蓄熱量以上であると、蓄熱装置（貯湯タンク２）が熱充分条件を満たした状態であると判断するように構成してもよい。
【００５７】
［発明の実施の第５別形態］
前述の［発明を実施するための形態］［発明の実施の第１別形態］〜［発明の実施の第４別形態］において、現時点での貯湯タンク２の蓄熱量が設定蓄熱量以上であるか否かを判断するのではなく、現時点から設定時間の経過後において予測される貯湯タンク２の蓄熱量が、設定蓄熱量以上となるか否かを判断するように構成してもよい。
【００５８】
［発明の実施の第６別形態］
前述の［発明を実施するための形態］［発明の実施の第１別形態］〜［発明の実施の第５別形態］において、第１補正値Ａ１及び第２補正値Ａ２は、３℃及び１℃以外に４℃及び２℃というように任意の値に設定することができ、或いは、同じ値に設定しても良い。
図６のステップＳ１５の設定時間も、数分以外の任意の値に設定することができる。
【００５９】
［発明の実施の第７別形態］
前述の［発明を実施するための形態］［発明の実施の第１別形態］〜［発明の実施の第６別形態］において、以下に示すように構成してもよい。
対象空間８の外側の外気の温度を検出する外気温センサー（図示せず）を備えることにより、図５のステップＳ８において、空調装置９の前回の運転状態が暖房運転であるか冷房運転であるかではなく、空調装置９の前回の運転状態での外気温に基づいて、図４及び図５のステップＳ９，Ｓ１７，Ｓ１８に移行するように構成してもよい。
【００６０】
例えば、空調装置９の前回の運転状態での外気温に対して、空調装置９の今回の運転状態での外気温が低ければ、居住者は少し涼しい状態でも快適と感じる傾向にあり、弱い暖房でも不満に感じない傾向にあるため、ステップＳ１８に移行し、空調装置９の前回の運転状態での外気温に対して、空調装置９の今回の運転状態での外気温が高ければ、居住者は暖房による暖かさに慣れているため、弱い暖房では不満に感じる傾向にあるため、ステップＳ９、Ｓ１７に移行するように構成する。
【００６１】
例えば、空調装置９の今回の運転状態での外気温が設定温度（例えば１０℃）以上で、且つ、空調装置９の今回の運転状態での外気温が、空調装置９の前回の運転状態での外気温よりも低ければ、ステップＳ１８に移行し、これ以外の状態では、ステップＳ９，Ｓ１７に移行するように構成する。
【００６２】
［発明の実施の第８別形態］
前述の［発明を実施するための形態］［発明の実施の第１別形態］〜［発明の実施の第７別形態］において、以下に示すように構成してもよい。
対象空間８の居住者の存在を検出する人感センサー（図示せず）を備えることにより、図５のステップＳ１３〜Ｓ１６において、空調装置９の運転状態（運転開始予約状態）となり、且つ、人感センサーが居住者の存在を検出すると、ステップＳ２０に移行するように構成してもよい。
【００６３】
［発明の実施の第９別形態］
前述の［発明を実施するための形態］［発明の実施の第１別形態］〜［発明の実施の第８別形態］において、以下に示すように構成してもよい。
図４のステップＳ１１，Ｓ１２，Ｓ１３において、空調装置９の暖房運転の開始時刻を、居住者が操作部３７を操作することによる空調装置９の暖房運転の開始時刻ではなく、過去において居住者が空調装置９の暖房運転を行う時刻を記憶しておき、最も頻度の高い時刻を、空調装置９の暖房運転の開始時刻としてもよい。
【００６４】
図４及び図５のステップＳ９，Ｓ１７，Ｓ１８において、第１及び第２補正値Ａ１，Ａ２を廃止して制御装置７にカレンダーを備えておき、春の季節であると、所定の設定値（例えば２４℃）を床暖房装置４の目標温度として改めて設定したり、秋の季節であると、所定の設定値（例えば２０℃）を床暖房装置４の目標温度として改めて設定するように構成してもよい。
【００６５】
なお、上記実施形態（別実施形態を含む。以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００６６】
本発明は、熱源装置として燃料電池や太陽熱集熱装置、ガスエンジン、エンジン発電装置等を使用し、暖房装置として床暖房装置やパネルラジエータ装置、デシカント温風装置等を使用した暖房システムに適用できる。
【符号の説明】
【００６７】
１    熱源装置（熱電併給装置）
２    蓄熱装置
３    加熱装置
４    暖房装置
６    運転情報取得部
７    制御装置
８    対象空間
９    空調装置
３５  蓄熱量検出部
３８  太陽熱集熱装置
【図１】
0006611656.tif 000002
【図２】
0006611656.tif 000003
【図３】
0006611656.tif 000004
【図４】
0006611656.tif 000005
【図５】
0006611656.tif 000006
【図６】
0006611656.tif 000007
【図７】
0006611656.tif 000008
【図８】
0006611656.tif 000009
【図９】
0006611656.tif 000010